(57)【要約】【課題】本発明は除湿装置に関するもので、除湿能力の低下を抑制することができるものである。【解決手段】この目的を達成するために本発明は、第１、第２の吸気口１、２と第１、第２の排気口３、４を有する本体ケース５内にヒートポンプ６を備え、このヒートポンプ６は、圧縮機７と、第１の熱交換器８、膨張手段９、第２の熱交換器１０により形成し、第１の吸気口１から第１の熱交換器８を介して第１の排気口３へと送風する第１の送風手段１３と、第２の吸気口２から第２の熱交換器１０を介して第２の排気口４へと送風する第２の送風手段１４と、回動自在に除湿ローター１５とを設け、この除湿ローター１５の第１の吸放湿部１６は第１の熱交換器８の下流側風路に設け、第２の吸放湿部１７は第２の熱交換器１０の下流側風路に設け、ヒートポンプ６に第１の熱交換器８と第２の熱交換器１０とを凝縮器と蒸発器とに交互に切り替える四方弁１８を設けたものである。【選択図】図１
2011007408.tif 000002
【特許請求の範囲】
【請求項１】
第１の吸気口と第２の吸気口と第１の排気口と第２の排気口を有する本体ケースと、この本体ケース内に設けられたヒートポンプとを備え、このヒートポンプは、圧縮機と、圧縮機の下流に順次設けた第１の熱交換器、膨張手段、第２の熱交換器により形成し、前記第１の吸気口から前記本体ケース内に吸気した空気を前記第１の熱交換器を介して前記第１の排気口へと送風する第１の送風手段と、前記第２の吸気口から前記本体ケース内に吸気した空気を前記第２の熱交換器を介して前記第２の排気口へと送風する第２の送風手段を設けるとともに、前記第１の送風手段および前記第２の送風手段と、前記第１の熱交換器および前記第２の熱交換器との間に回動自在に除湿ローターを設け、この除湿ローターは第１の吸放湿部と第２の吸放湿部とからなり、前記第１の吸放湿部は前記第１の熱交換器の下流側風路に設け、前記第２の吸放湿部は前記第２の熱交換器の下流側風路に設け、前記第１の吸気口および前記第１の排気口は屋外と前記本体ケースとを連通し、前記第２の吸気口および前記第２の排気口は室内と前記本体ケースとを連通し、前記ヒートポンプに前記第１の熱交換器と前記第２の熱交換器とを凝縮器と蒸発器とに交互に切り替える四方弁を設けた空気調和機。
【請求項２】
本体ケースを略箱形状とし、この本体ケースの背面側側面部に、第１の吸気口と第１の排気口を設けたものである請求項１に記載の空気調和機。
【請求項３】
第１の吸気口と第１の排気口とは、隣接配置された構成である請求項１または２に記載の空気調和機。
【請求項４】
第１の吸気口と第１の排気口とは、略半円形状である請求項１から３のいずれか一つに記載の空気調和機。
【請求項５】
第１の送風手段は、前記第１の吸放湿部と前記第１の排気口との間の風路に設け、前記第２の送風手段は、前記第２の吸放湿部と前記第２の排気口との間の風路に設けた請求項１から４のいずれか一つに記載の空気調和機。
【請求項６】
第１の送風手段および第２の送風手段は、前記本体ケースの背面側に設けた請求項１から５のいずれか一つに記載の空気調和機。
【請求項７】
第１の吸放湿部の表面積は第２の吸放湿部の表面積より大きい請求項１から６のいずれか一つに記載の空気調和機。
【請求項８】
第１の熱交換器の表面積の大きさは、第２の熱交換器の表面積の大きさより小さい請求項１から７のいずれか一つに記載の空気調和機。
【請求項９】
第１の熱交換器と第２の熱交換器とは上下に位置する請求項１から８のいずれか一つに記載の空気調和機。
【請求項１０】
前記第２の吸気口と前記第２の熱交換器の間に空気清浄手段を設けた構成とした請求項１から９のいずれか一つに記載の空気調和機。
【発明の詳細な説明】
【技術分野】
【０００１】
本発明は、ヒートポンプを活用し、除湿および加湿を行う空気調和機に関する。
【背景技術】
【０００２】
従来のこの種の空気調和機の構成は以下のようになっていた。
【０００３】
すなわち、第１の吸気口と第１の排気口を有する本体ケースと、この本体ケース内に設けられたヒートポンプを備え、このヒートポンプは、圧縮機と、圧縮機の下流に順次設けた蒸発器、膨張手段、凝縮器により形成し、前記第１の吸気口から前記本体ケース内に吸気した空気を、除湿装置である蒸発器、凝縮器を介して第１の排気口へと送風する第１の送風手段と、この第１の送風手段の風上側に加湿装置を設け、除湿装置の結露水を加湿装置の水槽に導く排水路を設けたものである。
【先行技術文献】
【特許文献】
【０００４】
【特許文献１】特開昭６１−２８５３２７号公報
【発明の概要】
【発明が解決しようとする課題】
【０００５】
上記従来例における課題は、除湿時に排水作業、および加湿時に給水作業を頻繁に行わなければならないということであった。
【０００６】
すなわち、従来の物においては、室内を除湿する場合には、本体内で室内空気を結露させ、その結露した結露水を本体に搭載された水槽に集水するものである。そこで、水槽に水が溜まるので、この水を排水する排水作業が頻繁に必要となるものである。また、室内を加湿する場合には、水槽内の水で加湿するので、水槽への給水作業が頻繁に必要となるものである。
【０００７】
そこで本発明は、除湿時の排水、および加湿時の給水作業を無くすことを目的とするものである。
【課題を解決するための手段】
【０００８】
そしてこの目的を達成するために本発明は、第１、第２の吸気口と第１、第２の排気口を有する本体ケースと、この本体ケース内に設けられたヒートポンプとを備え、このヒートポンプは、圧縮機と、圧縮機の下流に順次設けた第１の熱交換器、膨張手段、第２の熱交換器により形成し、前記第１の吸気口から前記本体ケース内に吸気した空気を前記第１の熱交換器を介して前記第１の排気口へと送風する第１の送風手段と、前記第２の吸気口から前記本体ケース内に吸気した空気を前記第２の熱交換器を介して前記第２の排気口へと送風する第２の送風手段を設けるとともに、前記第１の送風手段および前記第２の送風手段と、前記第１の熱交換器および前記第２の熱交換器との間に回動自在に除湿ローターを設け、この除湿ローターは第１の吸放湿部と第２の吸放湿部とからなり、前記第１の吸放湿部は前記第１の熱交換器の下流側風路に設け、前記第２の吸放湿部は前記第２の熱交換器の下流側風路に設け、前記第１の吸気口および前記第１の排気口は屋外と前記本体ケースとを連通し、前記第２の吸気口および前記第２の排気口は室内と前記本体ケースとを連通し、前記ヒートポンプに前記第１の熱交換器と前記第２の熱交換器とを凝縮器と蒸発器とに交互に切り替える四方弁を設けたものであり、これにより、初期の目的を達成するものである。
【発明の効果】
【０００９】
以上のように本発明は、第１、第２の吸気口と第１、第２の排気口を有する本体ケースと、この本体ケース内に設けられたヒートポンプとを備え、このヒートポンプは、圧縮機と、圧縮機の下流に順次設けた第１の熱交換器、膨張手段、第２の熱交換器により形成し、前記第１の吸気口から前記本体ケース内に吸気した空気を前記第１の熱交換器を介して前記第１の排気口へと送風する第１の送風手段と、前記第２の吸気口から前記本体ケース内に吸気した空気を前記第２の熱交換器を介して前記第２の排気口へと送風する第２の送風手段を設けるとともに、前記第１の送風手段および前記第２の送風手段と、前記第１の熱交換器および前記第２の熱交換器との間に回動自在に除湿ローターを設け、この除湿ローターは第１の吸放湿部と第２の吸放湿部とからなり、前記第１の吸放湿部は前記第１の熱交換器の下流側風路に設け、前記第２の吸放湿部は前記第２の熱交換器の下流側風路に設け、前記第１の吸気口および前記第１の排気口は屋外と前記本体ケースとを連通し、前記第２の吸気口および前記第２の排気口は室内と前記本体ケースとを連通し、前記ヒートポンプに前記第１の熱交換器と前記第２の熱交換器とを凝縮器と蒸発器とに交互に切り替える四方弁を設けたものであるので、除湿時の排水作業、および加湿時の給水作業を無くすことができるものである。
【００１０】
すなわち、除湿動作においては、本体ケースの第２の吸気口から第２の送風手段によって吸い込まれた室内の空気は、第２の熱交換器、および除湿ローターを介して第２の排気口から室内に送風される。ここで、第２の熱交換器は四方弁によって、蒸発器に切り替えられているので、蒸発器である第２の熱交換器で冷却され、低温ではあるが相対湿度の高い状態で除湿ローターの第２の吸放湿部を通過し、この第２の吸放湿部で湿気が吸着されることにより、除湿された空気が第２の排気口から室内に送風される。そして、第２の吸放湿部で吸着した湿気は、除湿ローターが回転することにより、除湿ローターの第１の吸放湿部となる。この第１の吸放湿部には、本体ケースの第１の吸気口から第１の送風手段によって吸い込まれた屋外の空気が、第１の熱交換器を介して送風される。ここで、第１の熱交換器は四方弁によって、凝縮器に切り替えられている。この凝縮器である第１の熱交換器で加熱され、高温で相対湿度の低い状態の空気が、除湿ローターの第１の吸放湿部を通過し、この第１の吸放湿部の湿気を放出させることにより加湿された空気が第１の排気口から屋外に送風されるものである。
【００１１】
つまり、室内の湿気を結露させることなく屋外に排気するので、本体内で結露水が発生しないものである。
【００１２】
これらの結果により、除湿時における排水作業を無くすことができるものである。
【００１３】
また、加湿動作においては、本体ケースの第１の吸気口から第１の送風手段によって吸い込まれた屋外の空気は、第１の熱交換器、および除湿ローターを介して第１の排気口から屋外に送風される。ここで、第１の熱交換器は四方弁によって、蒸発器に切り替えられているので、蒸発器である第１の熱交換器で冷却され、低温ではあるが相対湿度の高い状態で除湿ローターの第１の吸放湿部を通過し、この第１の吸放湿部で湿気が吸着されることにより、除湿された空気が第１の排気口から屋外に送風される。そして、第１の吸放湿部で吸着した湿気は、除湿ローターが回転することにより、除湿ローターの第２の吸放湿部となる。この第２の吸放湿部には、本体ケースの第２の吸気口から第２の送風手段によって吸い込まれた室内の空気が、第２の熱交換器を介して送風される。ここで、第２の熱交換器は四方弁によって、凝縮器に切り替えられている。この凝縮器である第２の熱交換器で加熱され、高温で相対湿度の低い状態の空気が、除湿ローターの第２の吸放湿部を通過し、この第２の吸放湿部の湿気を放出させることにより加湿された空気が第２の排気口から室内に送風されるものである。
【００１４】
つまり、屋外の空気の湿気を結露させることなく室内に排気し、加湿するものである。これらの結果により、加湿時における給水作業を無くすことができるものである。
【００１５】
以上のことから、除湿装置と加湿装置とに切り替えることができると共に、除湿時の排水および加湿時の給水を無くすことが出来るものである。
【図面の簡単な説明】
【００１６】
【図１】本発明の実施の形態１の空気調和機の設置概略図
【図２】本発明の実施の形態１の空気調和機の断面概略図
【図３】本発明の実施の形態１の空気調和機の断面概略図
【図４】本発明の実施の形態１の空気調和機の断面概略図
【発明を実施するための形態】
【００１７】
以下、本実施形態を添付図面を用いて説明する。
【００１８】
（実施の形態１）
図１および図２に示すように、本実施形態の空気調和機は、第１の吸気口１および第２の吸気口２と、第１の排気口３および第２の排気口４とを有する本体ケース５と、この本体ケース５内に設けられたヒートポンプ６を備えている。このヒートポンプ６は、圧縮機７と、圧縮機７の下流に順次設けた第１の熱交換器８、膨張手段９、第２の熱交換器１０により形成している。
【００１９】
第１の吸気口１および第１の排気口３は屋外と本体ケース５とを連通し、第２の吸気口２および第２の排気口４は室内と前記本体ケース５とを連通している。第１の吸気口１から第１の熱交換器８を介して第１の排気口３へと連通する第１の送風路１１と、第２の吸気口２から第２の熱交換器１０を介して第２の排気口４へと連通する第２の送風路１２とを備えている。第１の送風路１１内で第１の熱交換器８の下流側には、第１の吸気口１から本体ケース５内に吸気した空気を第１の熱交換器８を介して第１の排気口３へと送風する第１の送風手段１３を設け、第２の送風路１２内で第１の熱交換器８の下流側には、第２の吸気口２から本体ケース５内に吸気した空気を第２の熱交換器１０を介して第２の排気口４へと送風する第２の送風手段１４を設けている。
【００２０】
そして、第１の送風手段１３および第２の送風手段１４と、第１の熱交換器８および第２の熱交換器１０との間には、回動自在に除湿ローター１５を設け、この除湿ローター１５は第１の吸放湿部１６と第２の吸放湿部１７とを備えている。この除湿ローター１５の第１の吸放湿部１６は、第１の送風路１１内で第１の熱交換器８と第１の送風手段１３との間に設け、第２の吸放湿部１７は、第２の送風路１２内で第２の熱交換器１０と第２の送風手段１４との間に設けている。
【００２１】
本実施形態においては、ヒートポンプ６に、第１の熱交換器８と第２の熱交換器１０とを凝縮器と蒸発器とに交互に切り替える四方弁１８を設けた点である。これにより、第１の熱交換器８と第２の熱交換器１０とを凝縮器と蒸発器とに交互に切り替えることにより、除湿動作と加湿動作とに切り替えることができると共に、後述するように本体ケース５に第１の吸気口１および第１の排気口３を設けたことにより除湿動作時の排水および加湿動作時の給水を無くすことが出来るものである。
【００２２】
具体的には、圧縮機７と第１の熱交換器８および第２の熱交換器１０との間に四方弁１８を設けたものである。これにより、圧縮機７により、高温高圧に変化した冷媒の流れを、四方弁１８を切り替えることにより、２種類の経路へ切り替えが可能となる。
【００２３】
すなわち、まず、第１の経路は、圧縮機７により高温高圧に変化した冷媒が、第１の熱交換器８、膨張手段９、第２の熱交換器１０と順次流れ、圧縮機７へ戻る経路である。この第１の経路では、第１の熱交換器８は凝縮器、第２の熱交換器１０は蒸発器となるものである。次に、第２の経路は、圧縮機７により高温高圧に変化した冷媒が、第２の熱交換器１０、膨張手段９、第１の熱交換器８と順次流れ、圧縮機７へ戻る経路である。この第２の経路では、第１の熱交換器８は蒸発器、第２の熱交換器１０は凝縮器となるものである。このように、四方弁１８を切り替えることにより、第１の熱交換器８と第２の熱交換器１０とを凝縮器と蒸発器とに交互に切り替えることが可能となる。このように、四方弁１８によって、第１の熱交換器８と第２の熱交換器１０とを凝縮器と蒸発器とに交互に切り替えるものである。
【００２４】
ここで、除湿動作について説明する。まず、四方弁１８を切り替えることにより、冷媒を第１の経路に流し、第１の熱交換器８を凝縮器、第２の熱交換器１０を蒸発器とするものである。次に、本体ケース５の第２の吸気口２から第２の送風手段１４によって吸い込まれた室内の空気は、第２の熱交換器１０、および除湿ローター１５を介して第２の排気口４から室内に送風される。ここで、第２の熱交換器１０は四方弁１８によって、蒸発器に切り替えられているので、蒸発器である第２の熱交換器１０で冷却され、低温ではあるが相対湿度の高い状態で除湿ローター１５の第２の吸放湿部１７を通過し、この第２の吸放湿部１７で湿気が吸着されることにより、除湿された空気が第２の排気口４から室内に送風される。そして、第２の吸放湿部１７で吸着した湿気は、除湿ローター１５が回転することにより、除湿ローター１５の第１の吸放湿部１６となる。この第１の吸放湿部１６には、本体ケース５の第１の吸気口１から第１の送風手段１３によって吸い込まれた屋外の空気が、第１の熱交換器８を介して送風される。ここで、第１の熱交換器８は四方弁１８によって、凝縮器に切り替えられている。この凝縮器である第１の熱交換器８で加熱され、高温で相対湿度の低い状態の空気が、除湿ローター１５の第１の吸放湿部１６を通過し、この第１の吸放湿部１６の湿気を放出させることにより加湿された空気が第１の排気口３から屋外に送風されるものである。
【００２５】
つまり、室内の湿気を結露させることなく屋外に排気するので、本体内で結露水が発生しないものである。これらの結果により、排水作業を無くすことができるものである。
【００２６】
つづいて加湿動作について説明する。まず、四方弁１８を切り替えることにより、冷媒を第２の経路に流し、第１の熱交換器８を蒸発器、第２の熱交換器１０を凝縮器とするものである。次に、本体ケース５の第１の吸気口１から第１の送風手段１３によって吸い込まれた屋外の空気は、第１の熱交換器８、および除湿ローター１５を介して第１の排気口３から屋外に送風される。ここで、第１の熱交換器８は四方弁１８によって、蒸発器に切り替えられているので、蒸発器である第１の熱交換器８で冷却され、低温ではあるが相対湿度の高い状態で除湿ローター１５の第１の吸放湿部１６を通過し、この第１の吸放湿部１６で湿気が吸着されることにより、除湿された空気が第１の排気口３から屋外に送風される。そして、第１の吸放湿部１６で吸着した湿気は、除湿ローター１５が回転することにより、除湿ローター１５の第２の吸放湿部１７となる。この第２の吸放湿部１７には、本体ケース５の第２の吸気口２から第２の送風手段１４によって吸い込まれた室内の空気が、第２の熱交換器１０を介して送風される。ここで、第２の熱交換器１０は四方弁１８によって、凝縮器に切り替えられている。この凝縮器である第２の熱交換器１０で加熱され、高温で相対湿度の低い状態の空気が、除湿ローター１５の第２の吸放湿部１７を通過し、この第２の吸放湿部１７の湿気を放出させることにより加湿された空気が第２の排気口４から室内に送風されるものである。
【００２７】
つまり、屋外の空気の湿気を結露させることなく室内に排気し、室内を加湿するものである。これらの結果により、給水作業を無くすことができるものである。
【００２８】
以上のことから、除湿動作と加湿動作とに切り替えることができると共に、除湿時の排水および加湿時の給水を無くすことが出来るものである。
【００２９】
また、第１の吸気口１と第１の排気口３は、略箱形状の本体ケース５の背面側側面部に設けたものである。具体的には図３に示すように、第１の吸気口１と第１の排気口３は、略箱形状の本体ケース５の背面側側面部に設けられ、第１の吸気口１と第１の排気口３とは、隣接した構成である。また、第１の吸気口１と第１の排気口３とは、共に略半円形状である。つまり、第１の吸気口１と第１の排気口３が隣接することにより、略円形状となるものである。
【００３０】
このように、第１の吸気口１と第１の排気口３は、略箱形状の本体ケース５の背面側側面部に設けたので、図１、２に示すように、室内の壁に穴を開けることにより、第１の吸気口１と第１の排気口３とを屋外と連通できるので、本体ケース５を壁に取り付けた場合に、本体ケース５によって壁の穴が隠れ、部屋の美観を損ねることを防止できる。
【００３１】
また、第１の吸気口１と第１の排気口３とは、隣接した構成であるので、室内の壁に穴を１つ開けることにより、第１の吸気口１と第１の排気口３とを屋外と連通できるので、穴あけ作業の効率を向上することができる。
【００３２】
また、第１の吸気口１と第１の排気口３とは、共に略半円形状であり、第１の吸気口１と第１の排気口３が隣接することにより、略円形状となるので、室内の壁に丸穴を１つ開けることにより、第１の吸気口１と第１の排気口３とを屋外と連通できるので、穴あけ作業の効率を更に向上することができる。
【００３３】
また、第１の送風手段１３は、第１の吸放湿部１６と第１の排気口３との間の風路に設け、第２の送風手段１４は、第２の吸放湿部１７と第２の排気口４との間の風路に設けたものである。すなわち、第１の送風手段１３が動作することによって、第１の吸気口１から第１の熱交換器８を介して、第１の送風手段１３の吸い込み口までの風路である第１の吸い込み風路が負圧となり、同様に、第２の送風手段１４が動作することによって、第２の吸気口２から第２の熱交換器１０を介して、第２の送風手段１４の吸い込み口までの風路である第２の吸い込み風路が負圧となる。つまり、第１の吸い込み風路と第２の吸い込み風路とはどちらも負圧となるので、第１の吸い込み風路と第２の吸い込み風路との境界部分から第１の吸い込み風路から第２の吸い込み風路に空気が流れ込んだり、第２の吸い込み風路から第１の吸い込み風路に空気が流れ込んだりする、空気の混ざりを抑制できる。
【００３４】
また、第１の送風手段１３、第２の送風手段１４およびヒートポンプ６の圧縮機７は、本体ケース５の背面側に設けたものである。具体的には図４に示すように、本体ケース５の背面側に第１の送風手段１３、第２の送風手段１４およびヒートポンプ６の圧縮機７を備え、これらの第１の送風手段１３および第２の送風手段１４の本体ケース５の前面側に除湿ローター１５を設け、更にこの除湿ローター１５の本体ケース５の前面側にヒートポンプ６の圧縮機７の第１の熱交換器８および第２の熱交換器１０を設けたものである。
【００３５】
すなわち、騒音の発生源である第１の送風手段１３、第２の送風手段１４およびヒートポンプ６の圧縮機７と、本体ケース５の前面との間には、除湿ローター１５およびヒートポンプ６の第１の熱交換器８と第２の熱交換器１０が位置しているので、第１の送風手段１３、第２の送風手段１４およびヒートポンプ６の圧縮機７から本体ケース５の前面へ漏れる騒音を低減できる。
【００３６】
また、第１の吸放湿部１６の表面積は第２の吸放湿部１７の表面積より大きいものである。すなわち、除湿ローター１５の第１の吸放湿部１６の表面積は第２の吸放湿部１７の表面積より大きいので、第１の吸放湿部１６の吸着面積が増加するものである。
【００３７】
一般に、除湿ローター１５による、冬の加湿動作と、梅雨の除湿動作を比較すると、第１の吸気口１または第２の吸気口２から、屋外または室内の空気が吸い込まれ、蒸発器で冷却され、低温ではあるが相対湿度の高い状態で除湿ローター１５の第１の吸放湿部１６または第２の吸放湿部１７を通過し、ここで除湿ローター１５に湿気が吸着される場合に、冬の屋外の空気から吸着できる量は、梅雨の室内の空気から吸着できる量より小さいものである。すなわち、第１の吸放湿部１６の表面積は第２の吸放湿部１７の表面積より大きくし、第１の吸放湿部１６の吸着面積を増加させることにより冬の屋外の空気から吸着できる量を増加させることにより、冬の加湿能力を向上させ、梅雨の除湿能力との差を縮めることができる。
【００３８】
また、第１の熱交換器８の表面積の大きさは第２の熱交換器１０の表面積の大きさより小さいものである。すなわち、ヒートポンプ６である第１の熱交換器８の表面積の大きさは第２の熱交換器１０の表面積の大きさより小さいので、第１の熱交換器８の単位表面積当たりの風量は、第２の熱交換器１０の単位表面積当たりの風量より大きいものである。
【００３９】
一般に、除湿ローター１５による、冬の加湿動作と、梅雨の除湿動作とを比較すると、第１の吸気口１または第２の吸気口２から、屋外または室内の空気が吸い込まれ、蒸発器で冷却される場合に、梅雨に比べ冬は空気の温度が低く、蒸発器の冷熱が奪われにくいので、冬は蒸発器に氷ができやすいものである。すなわち、ヒートポンプ６である第１の熱交換器８の表面積の大きさは第２の熱交換器１０の表面積の大きさより小さくし、第１の熱交換器８の単位表面積当たりの風量が、第２の熱交換器１０の単位表面積当たりの風量より大きくすることにより、冬の蒸発器での冷熱を奪う量を増加させ、氷の発生を抑制できる。
【００４０】
また、第１の熱交換器８と第２の熱交換器１０とは上下に位置するものである。具体的には、第２の熱交換器１０の上に第１の熱交換器８を設けたものである。これらの第１の熱交換器８および第２の熱交換器１０は、複数のフィン１９が蛇腹状の導管に固定されたものである。この蛇腹状の導管は、水平方向に直管部を有し、上下の直管部が半円管部２０によって連結されたものである。
【００４１】
すなわち、第１の熱交換器８および第２の熱交換器１０の導管の半円管部２０が、第１の熱交換器８および第２の熱交換器１０の両側面部に位置しているので、第１の熱交換器８と第２の熱交換器１０とは上下に位置することにより、導管の半円管部２０が邪魔することなく第１の熱交換器８と第２の熱交換器１０とを近接させることができるので、本体高さを抑えることができる。
【００４２】
また、第２の吸気口２と第２の熱交換器１０の間に空気清浄手段２１を設けた構成としたものである。具体的には、本体ケース５の前面側側面部に第２の吸気口２を設け、本体ケース５の底面部に第２の排気口４を備え、この第２の吸気口２と第２の熱交換器１０の間に空気清浄手段２１を設けたものである。
【００４３】
すなわち、第２の吸気口２から吸い込まれた室内の空気は、本体ケース５の第２の吸気口２から第２の送風手段１４によって吸い込まれた室内の空気が、空気清浄手段２１、第２の熱交換器１０を介して第２の排気口４から室内に送風されるので、室内の空気を空気清浄することができる。
【産業上の利用可能性】
【００４４】
以上のように本発明は、第１、第２の吸気口と第１、第２の排気口を有する本体ケースと、この本体ケース内に設けられたヒートポンプを備え、このヒートポンプは、圧縮機と、圧縮機の下流に順次設けた第１の熱交換器、膨張手段、第２の熱交換器により形成し、前記第１の吸気口から前記本体ケース内に吸気した空気を前記第１の熱交換器を介して前記第１の排気口へと送風する第１の送風手段と、前記第２の吸気口から前記本体ケース内に吸気した空気を前記第２の熱交換器を介して前記第２の排気口へと送風する第２の送風手段を設けるとともに、前記第１の送風手段および前記第２の送風手段と、前記第１の熱交換器および前記第２の熱交換器との間に回動自在に除湿ローターを設け、この除湿ローターは第１の吸放湿部と第２の吸放湿部とからなり、前記第１の吸放湿部は前記第１の熱交換器の下流側風路に設け、前記第２の吸放湿部は前記第２の熱交換器の下流側風路に設け、前記第１の吸気口および前記第１の排気口は屋外と前記本体ケースとを連通し、前記第２の吸気口および前記第２の排気口は室内と前記本体ケースとを連通し、前記ヒートポンプに前記第１の熱交換器と前記第２の熱交換器とを凝縮器と蒸発器とに交互に切り替える四方弁を設けたものであるので、除湿、加湿時の排水および給水作業を無くすことができるものである。
【００４５】
すなわち、除湿動作においては、本体ケースの第２の吸気口から第２の送風手段によって吸い込まれた室内の空気は、第２の熱交換器、および除湿ローターを介して第２の排気口から室内に送風される。ここで、第２の熱交換器は四方弁によって、蒸発器に切り替えられているので、蒸発器である第２の熱交換器で冷却され、低温ではあるが相対湿度の高い状態で除湿ローターの第２の吸放湿部を通過し、この第２の吸放湿部で湿気が吸着されることにより、除湿された空気が第２の排気口から室内に送風される。そして、第２の吸放湿部で吸着した湿気は、除湿ローターが回転することにより、除湿ローターの第１の吸放湿部となる。この第１の吸放湿部には、本体ケースの第１の吸気口から第１の送風手段によって吸い込まれた屋外の空気が、第１の熱交換器を介して送風される。ここで、第１の熱交換器は四方弁によって、凝縮器に切り替えられている。この凝縮器である第１の熱交換器で加熱され、高温で相対湿度の低い状態の空気が、除湿ローターの第１の吸放湿部を通過し、この第１の吸放湿部の湿気を放出させることにより加湿された空気が第１の排気口から屋外に送風されるものである。
【００４６】
つまり、室内の湿気を結露させることなく屋外に排気するので、本体内で結露水が発生しないものである。
【００４７】
これらの結果により、排水作業を無くすことができるものである。
【００４８】
また、加湿動作においては、本体ケースの第１の吸気口から第１の送風手段によって吸い込まれた屋外の空気は、第１の熱交換器、および除湿ローターを介して第１の排気口から屋外に送風される。ここで、第１の熱交換器は四方弁によって、蒸発器に切り替えられているので、蒸発器である第１の熱交換器で冷却され、低温ではあるが相対湿度の高い状態で除湿ローターの第１の吸放湿部を通過し、この第１の吸放湿部で湿気が吸着されることにより、除湿された空気が第１の排気口から屋外に送風される。そして、第１の吸放湿部で吸着した湿気は、除湿ローターが回転することにより、除湿ローターの第２の吸放湿部となる。この第２の吸放湿部には、本体ケースの第２の吸気口から第２の送風手段によって吸い込まれた室内の空気が、第２の熱交換器を介して送風される。ここで、第２の熱交換器は四方弁によって、凝縮器に切り替えられている。この凝縮器である第２の熱交換器で加熱され、高温で相対湿度の低い状態の空気が、除湿ローターの第２の吸放湿部を通過し、この第２の吸放湿部の湿気を放出させることにより加湿された空気が第２の排気口から室内に送風されるものである。
【００４９】
つまり、屋外の空気の湿気を結露させることなく室内に排気し、加湿するものである。これらの結果により、給水作業を無くすことができるものである。
【００５０】
以上のことから、除湿装置と加湿装置とに切り替えることができると共に、除湿時の排水作業および加湿時の給水作業を無くすことが出来るものである。
【００５１】
従って、家庭用や事務所用などの、空気調和機として活用が期待されるものである。
【符号の説明】
【００５２】
１    第１の吸気口
２    第２の吸気口
３    第１の排気口
４    第２の排気口
５    本体ケース
６    ヒートポンプ
７    圧縮機
８    第１の熱交換器
９    膨張手段
１０  第２の熱交換器
１１  第１の送風路
１２  第２の送風路
１３  第１の送風手段
１４  第２の送風手段
１５  除湿ローター
１６  第１の吸放湿部
１７  第２の吸放湿部
１８  四方弁
２１  空気清浄手段
【図１】
2011007408.tif 000003
【図２】
2011007408.tif 000004
【図３】
2011007408.tif 000005
【図４】
2011007408.tif 000006